(57)【要約】液晶ディスプレイパネル（１１０２）、バックライトユニット及び制御器（１１０４，１２００，１３００）を有する液晶ディスプレイ（１１００）について開示している。液晶ディスプレイパネル（１１０２）は複数のピクチャ要素を有し、前記ピクチャ要素は繰り返してリフレッシュされ、前記バックライトユニットは、ディスプレイパネル（１１０２）のセクションに各々関連付けられ、表示パネル（１１０２）の前記セクションにバックライティングを与えるように備えられている複数の点灯装置（１１０５）を有し、前記制御器（１１０４，１２００，１３００）は、前記対応する点灯装置に関連するセクションの位置に応じて、ピクチャ要素のリフレッシュとリフレッシュされるピクチャ要素のセクションに対応する点灯装置による前記バックライティングとの間のタイミングを制御するように備えられている。制御器は、前記セクションの各々についてバックライティング制御器を有し、そのバックライティング制御器は、前記各々のセクションの前記位置に応じてバックライティングタイミングを制御するように備えられ、前記のバックライティングタイミングの制御は、対応するピクチャ要素のリフレッシュタイミングに対して、前記ディスプレイパネルの第１端部におけるセクションについてバックライティングタイミングの進みと、対応するピクチャ要素のリフレッシュタイミングに対して、前記ディスプレイパネル（１１０２）の第１端部に対して反対側の第２端部におけるセクションについてバックライティングタイミングの遅れと、を有する。更に、そのようなディスプレイに画像を表示するための方法が開示されている。
2008536164.tif 000002
【特許請求の範囲】
【請求項１】
ピクチャ要素を有する液晶ディスプレイパネル；
前記液晶ディスプレイパネルのセクションに各々関連付けられ、前記液晶ディスプレイパネルの前記セクションに対してバックライティングを与えるように備えられている複数の点灯装置を有するバックライトユニット；及び
対応する前記点灯装置に関連する前記セクションの位置に応じて、ピクチャ要素のリフレッシュと、リフレッシュされる前記ピクチャ要素の前記セクションのバックライティングとの間のタイミングを制御するための制御器；
を有する液晶ディスプレイ。
【請求項２】
請求項１に記載の液晶ディスプレイであって、前記制御器は、対応するピクチャ要素のリフレッシュタイミングに対して、前記液晶ディスプレイパネルの第１端部におけるセクションについてバックライティングタイミングの進みと、前記液晶ディスプレイパネルの前記第１端部に対して反対側の第２端部におけるセクションについてバックライティングのタイミングの遅れと、を与えるように備えられている、液晶ディスプレイ。
【請求項３】
請求項２に記載の液晶ディスプレイであって、前記第１端部における各々のセクションについての前記進みは、前記液晶ディスプレイの中央から前記各々のセクションまでの距離の増加関数であり、前記第２端部における各々のセクションについての前記遅れは、前記液晶ディスプレイの中央から前記各々のセクションまでの距離の増加関数である、液晶ディスプレイ。
【請求項４】
請求項１乃至３の何れか一項に記載の液晶ディスプレイであって、前記制御器は、前記液晶ディスプレイパネルにおけるピクチャ要素の位置に応じて、前記バックライティングに対してピクチャ要素の前記リフレッシュのタイミングを制御するように備えられているリフレッシュタイミング制御器を有する、液晶ディスプレイ。
【請求項５】
請求項４に記載の液晶ディスプレイであって、前記リフレッシュタイミングの前記制御は、対応するピクチャ要素のバックライティングタイミングに対して、前記液晶ディスプレイパネルの第１端部の位置におけるリフレッシュタイミングの遅れと、対応するピクチャ要素のバックライティングタイミングに対して、前記液晶ディスプレイパネルの第１端部に対して反対側の第２端部の位置におけるリフレッシュタイミングの進みと、を有する、液晶ディスプレイ。
【請求項６】
請求項５に記載の液晶ディスプレイであって、前記第１端部における前記のリフレッシュタイミングの進みは、前記液晶ディスプレイの中央から対応するピクチャ要素までの距離の増加関数であり、前記第２端部における前記のリフレッシュタイミングの遅れは、前記液晶ディスプレイの中央から対応するピクチャ要素までの距離の増加関数である、液晶ディスプレイ。
【請求項７】
請求項１に記載の液晶ディスプレイであって、点灯装置の分布及び前記点灯装置の何れかに関連する前記セクションの各々の大きさは、前記液晶ディスプレイパネルにおけるセクションの位置に依存する、液晶ディスプレイ。
【請求項８】
液晶ディスプレイパネル及びバックライトユニットを有する液晶ディスプレイにおいて画像を表示するための方法であって、前記バックライトユニットは、前記液晶ディスプレイパネルの対応するセクションに対してバックライティングを与えるように前記液晶ディスプレイパネルの前記セクションに各々関連付けられる複数の点灯装置を有する、方法であり：
前記液晶ディスプレイパネルのピクチャ要素を繰り返してリフレッシングするステップ；
前記ピクチャ要素の前記リフレッシングに対応する前記液晶ディスプレイパネルの前記セクションの各々をバックライティングするステップ；及び
前記液晶ディスプレイにおける対応する位置に応じて、前記リフレッシングと前記バックライティングとの間のタイミングを制御するステップ；
を有する方法。
【請求項９】
請求項８に記載の方法であって、前記のタイミングを制御するステップは、各々のセクションについてバックライティングタイミングを制御するステップを有する、方法。
【請求項１０】
請求項９に記載の方法であって、前記のバックライティングタイミングを制御するステップは：
対応するピクチャ要素のリフレッシュのタイミングに対して、前記液晶ディスプレイパネルの第１端部におけるセクションについてのバックライティングタイミングを進めるステップ；及び
対応するピクチャ要素のリフレッシュのタイミングに対して、前記液晶ディスプレイパネルの前記第１端部に対して反対側の第２端部におけるセクションについてのバックライティングタイミングを遅らせるステップ；
を有する、方法。
【請求項１１】
請求項１０に記載の方法であって、前記第１端部における各々のセクションについての前記進みは、前記液晶ディスプレイの中央から前記各々のセクションまでの距離の増加関数であり、前記第２端部における各々のセクションについての前記遅れは、前記液晶ディスプレイの中央から前記各々のセクションまでの距離の増加関数である、方法。
【請求項１２】
請求項８乃至１１の何れか一項に記載の方法であって、前記のタイミングを制御するステップは、前記液晶ディスプレイパネルのピクチャ要素のリフレッシュタイミングを制御するステップを有する、方法。
【請求項１３】
請求項１２に記載の方法であって、前記のリフレッシュタイミングを制御するステップは：
前記液晶ディスプレイパネルの第１端部においてピクチャ要素のリフレッシュタイミングを遅れさせるステップ；及び
前記液晶ディスプレイパネルの第１端部に対して反対側の第２端部においてピクチャ要素のリフレッシュタイミングを進めるステップ；
を有する、方法。
【請求項１４】
請求項１３に記載の方法であって、前記第１端部におけるピクチャ要素についての前記のリフレッシュタイミングの遅れは、前記液晶ディスプレイの中央からピクチャ要素までの距離の増加関数であり、前記第２端部におけるピクチャ要素についての前記のリフレッシュタイミングの進みは、前記液晶ディスプレイの中央からピクチャ要素までの距離の増加関数である、方法。
【発明の詳細な説明】
【技術分野】
【０００１】
本発明は、画像を表示するための方法及び液晶ディスプレイに関する。
【背景技術】
【０００２】
ＬＣＤ（液晶ディスプレイ）パネルは、そのサンプルホールドの性質のために動きぼけを被る、即ち、ＬＣ（液晶）は、フレーム全体の間にアドレス指定した後、同じ状態のまま保たれる。例えば、テレビの画像における場合のように、表示されているオブジェクトが動くとき、これは、視聴者の網膜においてオブジェクトのぼけた画像をもたらす。バックライトのフラッシングは、光パルスが、フレーム毎に短時間の間、ディスプレイパネルを照射するために、サンプルホールドの影響を解決する。バックライトのセグメント化により、及びディスプレイのパネルの順次アドレス指定スキームに各々のセグメントのフラッシュのタイミングを関連付けることにより、光パルスはピクチャを走査する。これは、通常、スクロール又はスキャンバックライトと呼ばれている。
【０００３】
米国特許出願公開第２００２／００６７３３２号明細書において、ディスプレイの一部をバックライトにより照明するように各々配置された６つの光源を有するバックライト配置を有する液晶ディスプレイ装置について開示されている。点灯及び消灯が光源全てについて同様に実行される場合、上側部分及び下側部分において表示される画像のプロファイルは二重に現れるという問題を指摘しておく。
【０００４】
これは、米国特許出願公開第２００２／００６７３３２号明細書にしたがって、最上部及び最下部の光源を常に点灯するか又は、最上部及び最下部の光源を点灯する及び消灯するために位相をシフトさせること、最上部及び最下部の光源を点灯させる及び消灯させるために周波数を増加させること、最上部及び最下部の光源について供給電流を減少させること、隣接する光源から最上部光源及び最下部光源を離すこと、又はバックライトの配置における他の光源に比べて最上部光源及び最下部光源を点灯させる及び消灯させるために異なるデューティサイクルを適用することにより解決されている。
【０００５】
しかしながら、それらの手段の有効性は、実際には限定されるように表れ、それ故、ぼけた画像を回避するように改善されたバックライトの制御についての要請が存在している。
【特許文献１】米国特許出願公開第２００２／００６７３３２号明細書
【発明の開示】
【課題を解決するための手段】
【０００６】
それ故、本発明の目的は、改善されたディスプレイ、及びディスプレイに画像を表示するための改善された方法を提供することである。
【発明が解決しようとする課題】
【０００７】
本発明は、ＬＣ透過効果と組み合わせてセグメント間の光のバックライト光学系クロストークのために所定のバックライト入力信号にしたがったバックライトのタイミングからディスプレイの有効な照明がずれることの理解に基づいている。
【０００８】
上記の目的は、独立請求項１に記載の液晶ディスプレイにより、本発明の第１の特徴にしたがって達成される。更なる有利な実施形態については、従属請求項に記載されている。この液晶ディスプレイの有利点は、ディスプレイパネルのセクションのバックライティングとそのセクションにおける対応するピクセルのリフレッシュとの間の改善されたタイミングのための、特にディスプレイの中央から離れたところにおける改善された画像品質である。それらの機能は、線形又は対称的である必要はない。
【０００９】
ディスプレイパネルにおけるセクションの位置に応じて、バックライティングとピクセルリフレッシュとの間のタイミングを制御するために制御器が備えられている。
【００１０】
この制御器は、好適には、ディスプレイパネルの第１端部のセクションについて、それらのセクションにおけるピクセルのリフレッシュに対してバックライティングのタイミングにおいて進めさせるために、そして、第１端部に対して反対側のディスプレイパネルの第２端部のセクションについて、それらのセクションにおけるピクセルのリフレッシュに対してバックライティングのタイミングにおいて遅れさせるために、備えられている。
【００１１】
前記第１端部における各々のセクションについての進みは、ディスプレイの中央からの前記各々のセクションまでの距離の増加関数であることが可能であり、他の端部における各々のセクションについての遅れは、ディスプレイの中央からの前記各々のセクションまでの距離の増加関数であることが可能である。
【００１２】
有効なバックライトタイミングが考慮されるバックライトタイミングを制御するためのそれらの方法の有利点は、前ゴースト画像及び後ゴースト画像についてのリスクを低減するように対応するピクセルのリフレッシュに対する適切なバックライティングである。
【００１３】
制御器は、ディスプレイパネルにおいてリフレッシュされるべきピクチャ要素の位置に応じて前記バックライティングに対してピクチャ要素の前記リフレッシュのタイミングを制御するように備えられているリフレッシュタイミング制御器を有することが可能である。
【００１４】
前記リフレッシュタイミングの制御は、対応するピクチャ要素のバックライティングタイミングに関連する、前記ディスプレイパネルの第１端部の位置におけるリフレッシュタイミングの遅れと、対応するピクチャ要素のバックライティングタイミングに関連する、前記ディスプレイパネルの第１端部に対して反対側の第２端部の位置におけるリフレッシュタイミングの進みとを有することが可能である。
【００１５】
前記第１端部におけるリフレッシュタイミングの進みは、ディスプレイの中央から対応するピクチャ要素までの距離の増加関数であることが可能であり、前記他の端部におけるリフレッシュタイミングの遅れは、ディスプレイの中央から対応するピクチャ要素までの距離の増加関数であることが可能である。
【００１６】
有効なバックライトタイミングに対してリフレッシュタイミングを制御するそれらの方法の有利点は、前ゴースト画像及び後ゴースト画像についてのリスクを低減する。
【００１７】
点灯装置の分布及び前記点灯装置の何れと関連する前記セクションの各々の大きさは、前記各々のセクションの前記位置に依存することが可能である。このことの有利点は、前ゴースト画像及び後ゴースト画像についてのリスクを低減するようにバックライティングユニットの最適デザインである。
【００１８】
上記目的は、ディスプレイパネル及びバックライトユニットを有するディスプレイにおいて画像を表示するための方法により本発明の第２の特徴にしたがって達成され、バックライトユニットは、ディスプレイパネルの対応するセクションにバックライティングするようにディスプレイパネルのそのセクションに各々関連する複数の点灯装置を有し、その方法は、ディスプレイパネルのピクチャ要素を繰り返してリフレッシングするステップと、ピクチャ要素のリフレッシュに対応してディスプレイパネルのセクションの各々をバックライティングするステップと、ディスプレイの対応する位置に応じたバックライティングとリフレッシングとの間のタイミングを制御するステップと、を有する。
【００１９】
タイミングを制御するステップは、各々のセクションについてバックライティングのタイミングを制御するステップを有する。
【００２０】
バックライティングのタイミングを制御するステップは：
−  対応するピクチャ要素のリフレッシュのタイミング、前記ディスプレイパネルの第１端部におけるセクションについてのバックライティングのタイミングに関連して進めさせるステップと、
−  対応するピクチャ要素のリフレッシュのタイミング、前記ディスプレイパネルの前記第１端部に対して反対側の第２端部におけるセクションについてのバックライティングのタイミングに関連して遅れさせるステップと、
を有することが可能である。
【００２１】
前記第１端部における各々のセクションについての進みは、ディスプレイの中央から前記各々のセクションまでの距離の増加関数であることが可能であり、前記他の端部における各々のセクションについての遅れは、ディスプレイの中央から前記各々のセクションまでの距離の増加関数であることが可能である。
【００２２】
タイミングを制御するステップは、リフレッシュのタイミングを制御するステップを有する。
【００２３】
タイミングを制御するステップは、前記ディスプレイパネルの第１端部におけるピクチャ要素についてのリフレッシュのタイミングを遅らせるステップと、前記ディスプレイパネルの第１端部に対して反対側の第２端部におけるピクチャ要素についてのリフレッシュのタイミングを進めるステップとを有することが可能である。
【００２４】
第１端部におけるピクチャ要素についてのリフレッシュのタイミングの遅れは、ディスプレイの中央からピクチャ要素までの距離の増加関数であることが可能であり、前記他の端部におけるピクチャ要素についてのリフレッシュのタイミングの進みは、ディスプレイの中央からピクチャ要素までの距離の増加関数であることが可能である。
【００２５】
本発明の第２の特徴の有利点は、本発明の第１の特徴の有利点と類似している。
【００２６】
本発明の上記の及び付加的な目的、特徴及び有利点については、本発明の好適な実施形態についての以下の図を参照する、非制限的な詳細説明により理解することができるであろう。
【発明を実施するための最良の形態】
【００２７】
図１は、例示としてのバックライトパルスについての時間に対する光信号について示している。この場合、バックライトパルスは対称性を有するが、何れのパルスの形状、例えば、非対称性パルスが可能である。しかしながら、有効なバックライトパルスが意図されたバックライトパルス以外の形状を有する下記の効果が更に適用される。現在のバックライトのデザインには完全なセグメント化を有するものはない。隣接するセグメントの光パルスのクロストークのために、スキャンパルスは、隣接ランプからの幾つかの光パルスの和である。その結果、図１４に示すように、スキャンパルスの形状及び位相は、スキャン位置依存性である。図１４において示されるように、スキャン光パルスは、全てのランプの効果１４０８乃至１４１４の和１４０１乃至１４０７である。これは鉛直方向位置依存性であり、即ち、実際のセグメントに依存する。悪いセグメント化の結果として、スクリーンの上部及びタブにおける非対称なスキャンパルスが得られる。それ故、光パルスの“重心”は時間経過につれてシフトし、もはやパネルのアドレッシングスキーム、即ち、ピクセルのリフレッシュと同位相にない。実際には、光パルスの形状は、光の非ガウス分布及びランプのオン−オフ切り換え挙動のためにかなり複雑である。デューティサイクルは、光パルスの形状に同様に大きく影響するが、有効なサンプリング瞬間の曲線には影響しない又は殆ど影響しない。光パルスのシフトの結果として、ゴースト画像の振幅は、スクリーンの鉛直方向において変化する。それ故、上部のセグメントについては、有効サンプリング瞬間は、悪いセグメント化のために遅れ１４１５，有効なサンプリング瞬間は、下部のセグメントについてはより早い、即ち、遅れが少ない１４１６。
【００２８】
図２は、ＬＣ透過曲線を示していて、観測される光パルスはそのＬＣ透過曲線により影響される。それ故、有効パネル照明出力は、図３に示すように、改善された形状を有し、この実施例においては、図１の対称性バックライトパルスは、図３に示す非対称性有効パネル照明出力になっている。
【００２９】
図４は、従来技術にしたがった時間に対するスクリーンの位置によるピクセルのリフレッシュタイミング及びバックライトスキャンを示す図である。各々の時間における各々の位置についての反復ピクセルリフレッシュタイミングは、その図において線４００、４０２、４０４を生成する。バックライトユニットは、各々がディスプレイのセクションに関連付けられる、即ち、点灯装置のアクティブ化がブロック４０６により示される位置の範囲に関連付けられる、複数の点灯装置を有する。各々の点灯装置についてのアクティブ化信号がブロックとして示され、ブロックにおいて、アクティブ化信号の持続時間はそのブロックの時間方向に長く伸ばされ、点灯装置によりカバーされる位置は、そのブロックの位置方向に伸ばされる。実際には、悪いセグメント化のためにブロックの鉛直方向において重なり合いが存在する。好適には、ディスプレイのバックライトは、ピクセルのリフレッシュと同期するように、時間オフセットを伴ってスキャンされる。その時間オフセットは、液晶のゆっくりした安定化のために後ゴースト画像を回避するようにバックライトを点灯させるまで、先行するリフレッシュからできるだけ長い時間と、前ゴースト画像を回避するように次のリフレッシュとバックライトの消灯の間の正確な時間距離とが存在するようなものである必要がある。しかしながら、バックライトにおけるセグメントのクロストークのために、有効バックライティングは、破線４０８で示すようである。図４から理解できるように、有効バックライティングタイミング４０８は、次のリフレッシュ４０２に対する一定のオフセットと同時ではない。このことは、図２に示しているＬＣ透過曲線による問題点である。そのタイミングの近似は、例えば、適切なオフセットはディスプレイの中央の位置について達成され、適切なオフセットからの明白なずれはディスプレイの端部の位置に存在するようなデザインで行われる必要がある。本実施例においては、上部から下部にスキャンされるとき、第１端部、例えば、ディスプレイの上部における前ゴースト画像についてのリスクが存在する一方、ディスプレイの他の端部における後ゴースト画像のリスクが存在する。本発明は、図５、６及び７と関連付けて説明するように、有効バックライティングタイミングとディスプレイ全体についてのリフレッシュタイミングとの間の適切なオフセットを与えるための実施形態を提供する。特に、後ゴーストを抑制するオーバードライブと組み合わせて、一定のオフセットが必要である。
【００３０】
図５は、本発明の実施形態にしたがった時間に対するスクリーンにおける位置により示されているピクセルのリフレッシュタイミング及びバックライトスキャンについて示している。各々の時間における各々の位置についての繰り返しピクセルリフレッシュタイミングは、その図における線５００、５０２、５０４である。バックライトユニットは、各々がディスプレイのセクション、即ち、点灯装置のアクティブ化がブロック５０６により示されている位置の範囲に関連する、複数の点灯装置を有する。各々の点灯装置についてのアクティブ化信号はブロックとして示され、そのブロックにおいて、アクティブ化信号の持続時間はブロックの時間方向に長くされ、点灯装置によりカバーされる持続時間はそのブロックの位置方向において長くされる。好適には、ディスプレイのバックライトは、ピクセルのリフレッシュと一致するように、時間オフセットを伴ってスキャンされる。しかしながら、この実施例においては、バックライティングのタイミングは、ディスプレイの第１端部の位置において遅れを有するように、そして他の端部の位置において進みを有するように適合されている。図１４と関連付けて上記したように、クロストークのために、ここでは、有効バックライティングタイミングは、破線５０８で示すように、直線状タイミング特性を有する。
【００３１】
図５から理解できるように、有効バックライティングタイミング５０８は、一定のオフセットを伴って、次のリフレッシュ５０２に一致している。それ故、ゴースト画像についてのリスクが低減される。オーバードライブが実施されない場合、一定のオフセットについてではなく、前ゴーストを伴わずに最小の局所的オフセットについて最適化することは最善である。それ故、セグメントへの光のクロストークのために、上部において、ランプは前ゴーストをもたらすことはないため、上部のセグメントはあまり遅れない又は全く遅れない。
【００３２】
図６は、本発明の実施形態にしたがった、時間に対するスクリーンの位置により示されるピクセルのリフレッシュタイミング及びバックライトスキャンを示している。バックライトユニットは、各々がディスプレイのセクションと関連付けられる、即ち、点灯装置のアクティブ化がブロック６０６により示されている位置の範囲に関連付けられる複数の点灯装置を有する。各々の点灯装置についてのアクティブ化信号はブロックとして示され、そのブロックにおいて、アクティブ化信号の持続時間はブロックの時間方向に長くされ、そして点灯装置によりカバーされる位置はそのブロックの位置方向に長くされる。好適には、ディスプレイのバックライトは、ピクセルのリフレッシュと一致するように、時間オフセットを伴ってスキャンされる。しかしながら、この実施形態においては、ピクセルのリフレッシュのタイミングは、ディスプレイの第１端部の位置において進みを有するように、そして他の端部の位置において遅れを有するように適合される。それ故、各々の時間における各々の位置についての繰り返しピクセルリフレッシュタイミングは、その図における曲線６００、６０２、６０４である。図６から理解できるように、有効バックライティングタイミング６０８は、曲線的タイミング特性が類似する曲がりを有するために、一定のオフセットを伴って、リフレッシュ６０２に一致している。それ故、ゴースト画像についてのリスクは低減されている。
【００３３】
図７は、本発明の実施形態にしたがった、時間対スクリーンにおける位置により示されるピクセルのリフレッシュタイミング及びバックライトスキャンについて示している。各々の時間における各々の位置についての繰り返しピクセルリフレッシュタイミングは、その図における線７００、７０２、７０４である。バックライトユニットは、各々がディスプレイのセクションと関連付けられる、即ち、点灯装置のアクティブ化がブロック７０６により示されている位置の範囲に関連付けられる複数の点灯装置を有する。各々の点灯装置についてのアクティブ化信号はブロックとして示され、そのブロックにおいて、アクティブ化信号の持続時間はブロックの時間方向に長くされ、そして点灯装置によりカバーされる位置はそのブロックの位置方向に長くされる。好適には、ディスプレイのバックライトは、ピクセルのリフレッシュと一致するように、時間オフセットを伴ってスキャンされる。しかしながら、この実施形態においては、点灯装置の大きさ及び対応するセクションは、ディスプレイの第１端部の位置において中間の大きさを、中央の位置において小さい大きさを、そして他の端部の位置においては大きい大きさを有するように適合されている。図１４と関連付けて上記したように、クロストークのために、ここでは、有効バックライティングタイミングは、破線７０８で示すように、直線状タイミング特性を有する。図７から理解できるように、有効バックライティングタイミング７０８は、一定のオフセットを伴って、次のリフレッシュ７０２に一致している。バックライトの中央における小さいセグメントが、例えば、より同一性の高い、共に近接するランプを置くことにより実施される場合、局所的光出力が増加する。それ故、ランプのデューティサイクルは、例えば、局所的ランプ距離に比例して減少される必要がある。より短いデューティサイクル及びより小さいセグメントの両方が有効スキャンパルスを短くし、それ故、より鮮明な動きピクチャがスクリーンの中央において得られる。
【００３４】
図５、６及び７に示している実施形態における原理は、適切なリフレッシュタイミング特性及びバックライティング特性を有するように何れの組み合わせで適用されることができ、それにより、有効バックライティングタイミングとピクセルリフレッシュタイミングとの間の適切なオフセットを得ることができる。
【００３５】
図８は、本発明の実施形態にしたがった、時間に対するスクリーンの位置により示されたピクセルのリフレッシュタイミング及びバックライトスキャンを示している。簡単な実施形態を与えるように、バックライトの減少されたスキャン速度８００が、ディスプレイの第１端部において予めの遅れ８０２と共に与えられている。それ故、前ゴースト画像のリスクはディスプレイの第１端部において低減され、そして後ゴースト画像のリスクは他の端部において低減される。
【００３６】
図９は、本発明の実施形態にしたがった、時間に対するスクリーンの位置により示されたピクセルのリフレッシュタイミング及びバックライトスキャンを示している。簡単な実施形態を与えるように、バックライトの減少されたスキャン速度９００が、ディスプレイの第１端部において予めの遅れ９０２と共に与えられている。更に、最初の点灯装置及び最後の点灯装置が、ディスプレイの第１端部における前ゴースト画像のリスク、及び他の端部における後ゴースト画像のリスクを更に低減するように付加時間シフトを伴って備えられている。それ故、最初の点灯ブロック９０４は、時間の進み９０６を伴って、時間経過につれて進められ、最後の点灯ブロック９０８は、遅れ９１０を伴って遅らせられる。
【００３７】
図１０は、本発明の実施形態にしたがった、時間に対するスクリーンの位置により示されたピクセルのリフレッシュタイミング及びバックライトスキャンを示している。簡単な実施形態を与えるように、バックライトの減少されたスキャン速度１０００、１００２が、予めの遅れ１００４、１００６と共に２つのステップにおいて与えられている。それ故、前ゴースト画像のリスクはディスプレイの第１端部において低減され、そして後ゴースト画像のリスクは他の端部において低減される一方、適切なタイミングがディスプレイの中央の位置において得られる。
【００３８】
図１１は、ディスプレイパネル１１０２を有するディスプレイ１１００を示している。ＬＣＤ（液晶ディスプレイ）パネルであることが可能であるディスプレイパネル１１０２は複数の点灯装置１１０５を備えている。点灯装置１１０５の各々は、例えば、１つ又はそれ以上の点灯源、例えば、発光ダイオード（ＬＥＤ）又はガス放電ランプ等を有する。そのバックライトは、点灯装置１１０５をスキャンすることによりフラッシングされる。それ故、ＬＣセルは、フレーム時間の特定の割合のみに対して照明される。パネル１１０２の点灯装置１１０５に接続されているバックライト制御器１１０４はバックライトのフラッシングを制御する。ゴースト画像を回避するように、バックライト制御器１１０４は、パネル１１０２の関連部分の位置に依存するバックライト制御信号を供給する。それ故、バックライト制御器はディスプレイ制御器１１０６に接続され、そのディスプレイ制御器はまた、画像データソース１１０８から画像データを受け入れる。この説明は例示目的のためのものであり、バックライト制御器１１０４及びディスプレイ制御器１１０６は、共通ビデオ制御器であることが可能であり、又は、バックライト制御器１１０４及びディスプレイ制御器１１０６のような同じ機能を備えている２つ又はそれ以上のユニット間に分割されていることが可能である。データソース１１０８は、ＴＶデコーダ、ＤＶＤプレーヤ、コンピュータ、又はディスプレイ１００において視聴される画像を供給する他の手段であることが可能である。
【００３９】
図１２は、本発明の実施形態にしたがったバックライト制御器１２００の模式的なブロック図である。バックライト制御器１２００は、モード変数入力部１２０２、バックライトパラメータ入力部１２０４、及び同期化入力部１２０６を有する。入力部１２０２、１２０４、１２０６はビデオ制御器から情報を受け入れる。モード変数入力部１２０２は、ラインの数、ブランキング及び／又はフロントポーチに関する情報を受け入れる。バックライトパラメータ入力部１２０４は、ランプ間隔、スキャン速度、予めの遅れ及び／又は光分布曲線に関する情報を受け入れる。同期化入力部は、水平方向同期化、鉛直方向同期化及び／又はデータイネーブルに関する情報を受け入れる。
【００４０】
バックライト制御器１２２０は、演算器１２０８及び計数機１２１０を更に有する。モード変数入力部１２０２及びバックライトパラメータ入力部１２０４は、情報を供給するために演算器１２０８に接続され、それ故、演算器はランプターンオフデータ１２１２を演算することができる。同期化入力部は、行数１２１４及びピクセル数１２１６を供給するように計数器をイネーブルにするように計数器１２１０に接続されている。
【００４１】
バックライト制御器は、シーケンサ１２１８及びランプＩ／Ｏ１２２０を更に有する。
ランプターンオフデータ１２１２、行数１２１４及びピクセル数１２１６はシーケンサ１２１８に供給される。シーケンサ１２１８は、低減されたゴースト画像のために改善されたバックライティングを与えるように、ターンオンデータオフセットを演算し、図５乃至１０に関連付けて説明した原理の何れかにしたがってランプＩ／Ｏ１２２０に制御情報１２２２を供給する。ランプＩ／Ｏは、制御情報１２２２にしたがって、図１１における点灯装置１１０５のフラッシングを制御する。
【００４２】
図１３は、本発明の実施形態にしたがったバックライト制御器１３００の模式的なブロック図である。バックライト制御器１３００は、バックライトレベル入力部１３０１、モード変数入力部１３０２、バックライトパラメータ入力部１３０４及び同期化入力部１３０６を有する。入力部１３０１、１３０２、１３０４、１３０６はビデオ制御器から情報を受け入れる。バックライトレベル入力部１３０１は動的光出力に関する情報を受け入れる。モード変数入力部１３０２は、ライン数、ブランキング及び／又はフロントポーチに関する情報を受け入れる。バックライトパラメータ入力部１３０４は、ランプ間隔、スキャン速度、予めの遅れ及び／又は光分布曲線に関する情報を受け入れる。同期化入力部は、水平方向同期化、鉛直方向同期化及び／又はデータイネーブルに関する情報を受け入れる。
【００４３】
バックライト制御器１３００は、ルックアップテーブル（ＬＵＴ）１３０７、演算器１３０８及び計数器１３１０を更に有する。バックライトレベル入力部１３０１は、動的バックライティング信号１３１１を供給するように対称性又は非対称性であることが可能である、減少されたランプのデューティサイクル等の動的バックライティングに関する情報を供給するためにＬＵＴ１３０７に接続されている。モード変数入力部１３０２及びバックライトパラメータ入力部１３０４は、情報を供給するために演算器１３０８に接続され、それ故、演算器はランプターンオフデータ１３１２を演算することができる。同期化入力部は、行数１３１４及びピクセル数１２１６を供給するために計数器をイネーブルにするように計数器１３１０に接続されている。
【００４４】
バックライト制御器は、シーケンサ１３１８及びランプＩ／Ｏ１３２０を更に有する。動的バックライト信号１３１１、ランプターンオフデータ１３１３、行数１３１４及びピクセル数１３１６はシーケンサ１３１８に供給される。シーケンサ１３１８は、減少されたゴースト画像のために改善されたバックライティングを与えるように、図５乃至１０において説明された原理の何れか、又はそれらの原理の何れかの組み合わせにしたがって、ランプＩ／Ｏ１３２０に制御情報１３２２を供給する。ランプＩ／Ｏは、制御情報１３２２にしたがって図１１における点灯装置１１０５のフラッシングを制御する。
【図面の簡単な説明】
【００４５】
【図１】隣接するランプの影響のない、単独のランプ又はセグメントの例示としてのバックライトパルスについての時間対光信号の図である。
【図２】ＬＣ透過率曲線を示す図である。
【図３】例示としての有効バックライトパルスについての時間対光信号の図である。
【図４】従来技術にしたがった、時間に対するスクリーンにおける位置により示されるバックライトスキャン及びピクセルのリフレッシュタイミングを示す図である。
【図５】本発明の実施形態にしたがった、時間に対するスクリーンにおける位置により示されるバックライトスキャン及びピクセルのリフレッシュタイミングを示す図である。
【図６】本発明の実施形態にしたがった、時間に対するスクリーンにおける位置により示されるバックライトスキャン及びピクセルのリフレッシュタイミングを示す図である。
【図７】本発明の実施形態にしたがった、時間に対するスクリーンにおける位置により示されるバックライトスキャン及びピクセルのリフレッシュタイミングを示す図である。
【図８】本発明の実施形態にしたがった、時間に対するスクリーンにおける位置により示されるバックライトスキャン及びピクセルのリフレッシュタイミングを示す図である。
【図９】本発明の実施形態にしたがった、時間に対するスクリーンにおける位置により示されるバックライトスキャン及びピクセルのリフレッシュタイミングを示す図である。
【図１０】本発明の実施形態にしたがった、時間に対するスクリーンにおける位置により示されるバックライトスキャン及びピクセルのリフレッシュタイミングを示す図である。
【図１１】本発明の実施形態にしたがったディスプレイを示す図である。
【図１２】本発明の実施形態にしたがったバックライト制御器を模式的に示すブロック図である。
【図１３】本発明の実施形態にしたがったバックライト制御器を模式的に示すブロック図である。
【図１４】セグメント間のクロストークの影響を示す図である。
【図１】
2008536164.tif 000003
【図２】
2008536164.tif 000004
【図３】
2008536164.tif 000005
【図４】
2008536164.tif 000006
【図５】
2008536164.tif 000007
【図６】
2008536164.tif 000008
【図７】
2008536164.tif 000009
【図８】
2008536164.tif 000010
【図９】
2008536164.tif 000011
【図１０】
2008536164.tif 000012
【図１１】
2008536164.tif 000013
【図１２】
2008536164.tif 000014
【図１３】
2008536164.tif 000015
【図１４】
2008536164.tif 000016
【国際調査報告】
2008536164.tif 000017
2008536164.tif 000018